(57)【要約】【課題】色温度補正装置で理想輝度値に補正されることによって生じる中間階調の信号レベルの輝度の低下を抑制する色温度補正調整装置及び該色温度補正調整装置を備えたディスプレイ装置を提供する。【解決手段】色温度補正調整装置は、映像信号のＲＧＢについて輝度を複数段階の階調によって表現するディスプレイ装置において、前記映像信号の色温度の補正を調整する色温度補正調整装置であって、入力信号から平均信号レベルを出力する平均信号レベル検出部と、前記平均信号レベルに基づいて、ゲイン係数を算出するゲイン係数算出手段とを備える。【選択図】図２
2009169054.tif 000002
【特許請求の範囲】
【請求項１】
映像信号のＲＧＢについて輝度を複数段階の階調によって表現するディスプレイ装置において、映像信号の入力階調値に、選択された駆動モードの駆動倍数を乗算して入力発光パルス数を出力する乗算器と、前記入力発光パルス数について、色温度を一定に保つように、白色となるＲＧＢそれぞれの設定発光パルス数への発光パルス数変換テーブルを記録する記憶手段と、前記発光パルス数変換テーブルに基づいて、前記映像信号の入力発光パルス数からＲＧＢそれぞれの設定発光パルス数に変換する発光パルス数変換部と、前記設定発光パルス数を前記駆動倍数で除算して設定階調値を出力する除算器とを備えた色温度補正装置で理想輝度値に補正されることによって生じる中間階調の信号レベルの輝度の低下を抑制する色温度補正調整装置であって、
入力信号から平均信号レベルを出力する平均信号レベル検出部と、
前記平均信号レベルに基づいて、ゲイン係数を算出するゲイン係数算出手段と、
入力信号と色温度補正された信号の差分を出力する減算器と、
前記差分信号とゲイン係数を乗算してゲイン調整値を出力する乗算器と、
入力信号と前記ゲイン調整値の差分を出力する減算器と
を備えたことを特徴とする色温度補正調整装置。
【請求項２】
ガンマ補正された映像信号に対して逆ガンマ補正を行う逆ガンマ補正手段と、
前記逆ガンマ補正された映像信号の平均信号レベルを検出する平均信号レベル検出部と、
検出された平均信号レベルに基づいて駆動モードを選択し乗算係数を出力する駆動モード選択手段と、
出力された乗算係数を前記映像信号の入力階調値に乗算して前記駆動モードによる輝度差を補正した入力階調値を出力する乗算器と、
前記入力階調値に前記駆動モードの駆動倍数を乗算して入力発光パルス数を算出し、前記入力発光パルス数について、色温度を一定に保つように、設定発光パルス数に変換して色温度補正し、前記設定発光パルス数を前記駆動倍数で除算して設定階調値を出力する、上記色温度補正装置と、
入力信号から平均信号レベルを求め色温度補正のゲイン係数を算出し、色温度補正機能を調整する色温度補正調整装置と、
設定された駆動モードとに基づいてサブフィールド条件を設定するサブフィールド変換手段と、
映像を表示するためのディスプレイパネルと、
設定されたサブフィールド条件に基づいて前記ディスプレイパネルの走査・維持・消去を制御する走査・維持・消去駆動回路と、
前記ディスプレイパネルのデータ駆動回路と
を備えたことを特徴とするディスプレイ装置。
【発明の詳細な説明】
【技術分野】
【０００１】
本発明は、ディスプレイパネルの色温度補正機能のゲイン調整を行う色温度補正調整装置及び該色温度補正調整装置を備えたディスプレイ装置に関する。
【背景技術】
【０００２】
薄型化・大型化が可能なプラズマディスプレイパネル（ＰＤＰ）を用いたプラズマディスプレイパネル装置の普及が進んでいる。このプラズマディスプレイパネル装置では、画素を構成する放電セルからの発光を利用することにより画像を表示している。
【０００３】
さらに詳細に説明すると、放電セルを構成する電極間に駆動回路によって高電圧の駆動パルスを印加して、放電セルを発光させ、各画素の発光によって画像を表示している。
【０００４】
ここで、輝度の高い画像を表示する場合には、プラズマディスプレイパネル装置では、走査駆動回路及び維持駆動回路によりスキャン電極、維持電極に多数の維持パルスが印加され、ＰＤＰの充放電回数が増加するため、走査駆動回路及び維持駆動回路の消費電力が増大する。
【０００５】
これに対して、プラズマディスプレイパネルの消費電力に基づいて、サブフィールド内の維持電圧を出力する維持期間に含まれる維持パルス数の重み付け倍数Ｎ（駆動倍数）を小さくすることにより、消費電力の増大を抑制している（例えば、特許文献１参照。）。
【０００６】
但し、この場合、映像信号のＲＧＢそれぞれについて、入力階調値によって実際に得られる輝度測定値は、入力階調値で目標とする輝度理想値とは異なっており、その結果、色温度が異なってしまう場合も考えられる。これに対しては、入力階調値を変換することで色温度の変化を補正することも検討がなされている。
【特許文献１】特許第２９９４６３０号公報
【発明の開示】
【発明が解決しようとする課題】
【０００７】
しかしながら、従来の色温度補正装置では、色温度を一定に保つために、補正の強い中間階調の信号レベルでは、平均信号レベルが低いときに輝度の低下が目立ってしまう場合があるという課題が生じる。
【０００８】
そこで、本発明の目的は、色温度補正装置で理想輝度値に補正されることによって生じる中間階調の信号レベルの輝度の低下を抑制する色温度補正調整装置及び該色温度補正調整装置を備えたディスプレイ装置を提供することである。
【課題を解決するための手段】
【０００９】
本発明に係る色温度補正手段は、映像信号のＲＧＢについて輝度を複数段階の階調によって表現するディスプレイ装置において、前記映像信号の色温度を補正する色温度補正装置であって、映像信号の入力階調値に、選択された駆動モードの駆動倍数を乗算して入力発光パルス数を出力する乗算器と、前記入力発光パルス数について、色温度を一定に保つように、白色となるＲＧＢそれぞれの設定発光パルス数への発光パルス数変換テーブルを記録する記憶手段と、前記発光パルス数変換テーブルに基づいて、前記映像信号の入力発光パルス数からＲＧＢそれぞれの設定発光パルス数に変換する発光パルス数変換部と、前記設定発光パルス数を、前記駆動倍数で除算して設定階調値を出力する除算器とを備えたことを特徴とする。
【００１０】
本発明に係る色温度補正調整手段は、映像信号のＲＧＢについて輝度を複数段階の階調によって表現するディスプレイ装置において、前記映像信号の色温度の補正を調整する色温度補正調整装置であって、入力信号から平均信号レベルを出力する平均信号レベル検出部と、前記平均信号レベルに基づいて、ゲイン係数を算出するゲイン係数算出手段と、入力信号と色温度補正された信号の差分を出力する減算器と、前記差分信号とゲイン係数を乗算してゲイン調整値を出力する乗算器と、入力信号と前記ゲイン調整値の差分を出力する減算器とを備えたことを特徴とする。
【００１１】
本発明に係るディスプレイ装置は、ガンマ補正された映像信号に対して逆ガンマ補正を行う逆ガンマ補正手段と、前記逆ガンマ補正された映像信号の平均信号レベルを検出する平均レベル検出部と、検出された平均信号レベルに基づいて駆動モードを選択し乗算係数を出力する駆動モード選択手段と、出力された乗算係数を前記映像信号の入力階調値に乗算して前記駆動モードによる輝度差を補正した入力階調値を出力する乗算器と、前記入力階調値に前記駆動モードの駆動倍数を乗算して入力発光パルス数を算出し、前記入力発光パルス数について、色温度を一定に保つように、設定発光パルス数に変換して色温度補正し、前記設定発光パルス数を前記駆動倍数で除算して設定階調値を出力する、上記色温度補正装置と、入力信号から平均信号レベルを求め色温度補正のゲイン係数を算出し、色温度補正機能を調整する色温度補正調整装置と、設定された駆動モードとに基づいてサブフィールド条件を設定するサブフィールド変換手段と、映像を表示するためのディスプレイパネルと、設定されたサブフィールド条件に基づいて前記ディスプレイパネルの走査・維持・消去を制御する走査・維持・消去駆動回路と、前記ディスプレイパネルのデータ駆動回路とを備えることを特徴とする。
【発明の効果】
【００１２】
本発明に係る色温度補正調整装置によれば、平均信号レベルの低いときに色温度補正機能を抑えることが可能になり、中間階調値の輝度の低下を抑制することができる。
【発明を実施するための最良の形態】
【００１３】
本発明の実施の形態に係る色温度補正調整装置について、添付図面を用いて詳細に説明する。なお、図面において実質的に同一の部材には同一の符号を付している。
【００１４】
（実施の形態１）
本発明の実施の形態１に係る色温度補正装置１２は、図１に示すように、映像信号の入力階調値に、選択された駆動モードの駆動倍数を乗算して入力発光パルス数を出力する乗算器８と、入力発光パルス数について、色温度を一定に保つように、設定発光パルス数に変換する発光パルス数変換部２と、入力発光パルス数について、色温度を一定に保つための白色となるＲＧＢそれぞれの設定発光パルス数との関係を示す発光パルス数変換テーブル６を記録する記憶部４と、設定発光パルス数を上記駆動倍数で除算して設定階調値を出力する除算器１０とを備える。
【００１５】
この色温度補正装置によれば、入力階調値そのものではなく、この入力階調値に駆動倍数を乗算して得られた入力発光パルス数について、入力発光パルス数から設定発光パルス数への単一の変換テーブルを用いて、色温度を一定に保つように入力発光パルス数から設定発光パルス数への変換を行う。
【００１６】
そのため、駆動モードの違いによる影響を受けることなく色温度補正を行うことができる。そこで、駆動モードごとの変換テーブルを必要とせず、記憶手段４における記憶容量を増やすことなく、全ての駆動パターンに応じた色温度補正を行うことができる。
【００１７】
次に、上記の色温度補正装置１２を含む色温度補正調整装置２４の構成について説明する。色温度補正調整装置２４は、図２に示すように、色温度補正装置１２以外に、入力信号から平均信号レベルを出力する平均信号レベル検出部１６と、平均信号レベルからゲイン係数を算出するゲイン係数算出手段１８と、入力信号と色温度補正された信号の差分を出力する減算器１４と、その差分とゲイン係数を乗算してゲイン調整値を出力する乗算器２０と、入力信号とゲイン調整値の差分を出力する減算器２２とを備える。
【００１８】
この色温度補正調整装置によれば、平均信号レベルの値によって、色温度補正機能を調整することができ、平均信号レベルの低いときの輝度の低下を抑制することができる。
【００１９】
以下に、具体的な色温度補正装置及び色温度補正調整装置によって行う色温度補正調整方法について、図３及び図４及び図５と、図６のフローチャートとを用いて説明する。
【００２０】
ａ）映像信号の入力階調値を受け付ける（Ｓ０１）。ｂ）色温度補正装置１２に含まれる乗算器８によって、選択された駆動モードの駆動倍数を入力階調値に乗算して入力発光パルス数を出力する（Ｓ０２）。ｃ）図３に示すように、映像信号の入力発光パルス数について、あらかじめ色温度を一定に保つように、白色となるＲＧＢのそれぞれの輝度理想値が設定されている。この入力階調値に対する輝度理想値の関係が第１発光パルス数変換テーブル（図３：一点鎖線）として表される。
【００２１】
そこで、この第１発光パルス数変換テーブルに基づいて、入力発光パルス数に対して、白色となるＲＧＢのそれぞれの輝度理想値を求める（Ｓ０３）。例えば、図３の場合、入力発光パルス数９００について、緑色（Ｇ）の輝度理想値は２１０となる（図３：手順（ｉ））。なお、赤色（Ｒ）及び青色（Ｂ）についてもそれぞれ同様に輝度理想値が得られるが、その詳細については省略する。
【００２２】
ｄ）また、発光パルス数に対して、実際に得られる輝度測定値との関係は、第２発光パルス数変換テーブル（図３：実線）によって表される。そこで、この第２発光パルス数変換テーブルに基づいて、ＲＧＢのそれぞれの輝度理想値が得られる設定発光パルス数を求める（Ｓ０４）。例えば、図３の場合には、輝度理想値２１０を出力する緑色（Ｇ）の発光パルス数として、設定発光パルス数７６５が得られる（図３：手順（ｉｉ））。なお、赤色（Ｒ）及び青色（Ｂ）についてもそれぞれ同様に設定発光パルス数が得られるが、その詳細については省略する。
【００２３】
ｅ）除算器１０によって、設定発光パルス数を上記駆動倍数で除算して設定階調値を出力する（Ｓ０５）。ｆ）図４に示すように、入力階調値に対して、実際に得られる輝度測定値と輝度理想値の差分を求める（Ｓ０６）。例えば、図４の場合には、入力階調値１２８の輝度測定値が１２１で輝度理想値は１０７であるため、差分として１４が得られる（図４：手順（ｉｉｉ））。なお、赤色（Ｒ）及び青色（Ｂ）についてもそれぞれ同様に輝度測定値と輝度理想値の差分が得られるが、その詳細については省略する。
【００２４】
ｇ）次に、映像信号から平均信号レベル検出部にて平均信号レベルを求める。その平均信号レベルを用いて、ゲイン係数を算出し、ｆ）で求めた差分に乗算する（Ｓ０７）。例えば、図５の場合には、ゲイン係数が０．５となり、図４よりゲイン調整値として７が得られる。なお、赤色（Ｒ）及び青色（Ｂ）についてもそれぞれ同様にゲイン調整値が得られるが、その詳細については省略する。なお、この図５に示したゲイン係数は、本発明の有用な一例であって、ゲイン係数の値は調整することも可能である。
【００２５】
ｈ）図４に示すように、階調値に対して、実際に得られる輝度測定値からｇ）で求めたゲイン調整値を引き、その値を入力階調値に対する輝度値とする（Ｓ０８）。図４の場合には、輝度測定値が１２１でゲイン調整値が７であるため、入力階調値１２８の映像信号が入力された場合の輝度値は１１４である（図４：手順（ｉｖ））。なお、赤色（Ｒ）及び青色（Ｂ）についてもそれぞれ同様に輝度値が得られるが、その詳細については省略する。
【００２６】
以上によって、入力階調値について、色温度補正調整装置による色温度補正機能を抑えた輝度値が得られる。上記の例では、入力階調値１２８は輝度値１１４となる。
【００２７】
次に、上記の色温度補正調整装置２４等を含むプラズマディスプレイ装置４２全体の構成について、図７を用いて説明する。このプラズマディスプレイ装置４２は、ガンマ補正された映像信号に対して逆ガンマ補正を行う逆ガンマ補正手段２６と、逆ガンマ補正手段で逆ガンマ補正された映像信号の平均信号レベルを検出する平均信号レベル検出部１６と、検出された平均輝度から駆動モード（駆動倍数）を選択し、駆動モードに応じて乗算係数を出力する駆動モード選択手段３０と、出力された乗算係数を逆ガンマ補正された映像信号に乗算して駆動モードによる輝度差を補正した発光パルス数を出力する乗算器３２と、入力発光パルス数について、色温度を一定に保つように、白色となるＲＧＢそれぞれの設定発光パルス数に変換して色温度補正する色温度補正装置１２と、平均信号レベルから色温度補正のゲイン係数を算出し、色温度補正機能を調整する色温度補正調整装置２４と、設定された駆動モードの情報に基づいてサブフィールドの設定（駆動倍数、サブフィールド数等）を行うサブフィールド変換手段３４と、映像を表示するためのプラズマディスプレイパネル（ＰＤＰ）３６と、サブフィールドに関する設定値に基づいて、走査、維持、消去の制御を行う走査・維持・消去駆動回路３８と、データ駆動回路４０と、により構成されている。
【００２８】
このプラズマディスプレイ装置４２は、上述の色温度補正調整装置を有することを特徴とする。このプラズマディスプレイ装置４２は、色温度補正調整装置を備えているので、色温度補正機能を調整することで、平均信号レベルの低いときに中間階調値の輝度の低下を抑制することができる。
【産業上の利用可能性】
【００２９】
本発明に係る色温度補正調整装置及びディスプレイ装置は、特にプラズマディスプレイ装置に利用可能である。
【図面の簡単な説明】
【００３０】
【図１】本発明の実施の形態１に係る色温度補正装置の構成を示すブロック図
【図２】本発明の実施の形態２に係る色温度補正調整装置の構成を示すブロック図
【図３】本発明の実施の形態１に係る色温度補正方法における発光パルス数変換の方法について説明する概略図
【図４】本発明の実施の形態２に係る色温度補正調整方法におけるゲイン調整の方法について説明する概略図
【図５】本発明の実施の形態２に係る色温度補正調整方法における平均信号レベルとゲイン係数の関係を示す図
【図６】本発明の実施の形態２に係る色温度補正調整方法のフローチャート
【図７】本発明の実施の形態３に係るプラズマディスプレイ装置の構成を示すブロック図
【符号の説明】
【００３１】
２    発光パルス数変換部
４    記憶部
６    発光パルス数変換テーブル
８    乗算器
１０    除算器
１２    色温度補正装置
１４    減算器
１６    平均信号レベル検出部
１８    ゲイン係数算出手段
２０    乗算器
２２    減算器
２４    色温度補正調整装置
２６    逆ガンマ補正手段
３０    駆動モード選択手段
３２    乗算器
３４    サブフィールド変換手段
３６    プラズマディスプレイパネル
３８    走査・維持・消去駆動回路
４０    データ駆動回路
４２    プラズマディスプレイ装置
【図１】
2009169054.tif 000003
【図２】
2009169054.tif 000004
【図５】
2009169054.tif 000005
【図６】
2009169054.tif 000006
【図７】
2009169054.tif 000007
【図３】
2009169054.tif 000008
【図４】
2009169054.tif 000009